(57)【要約】【課題】データ信号回路が形成されるフレキシブルプリント基板のコストを低減することおよびフレキシブルプリント基板の厚さを薄くすることが可能であっても、データ信号回路からのデータの不正取得を防止することが可能なカードリーダを提供する。【解決手段】このカードリーダでは、フレキシブルプリント基板（ＦＰＣ）１９は、データ信号回路が形成されるデータ信号回路層と、破壊検知回路が形成されデータ信号回路層と重なる破壊検知回路層とを備えており、ＦＰＣ１９の厚さ方向におけるデータ信号回路層の一方側のみに破壊検知回路層が形成されている。ＦＰＣ１９の一部分が保護基板に覆われている領域を保護領域ＰＡとし、保護領域ＰＡを外れた領域を非保護領域ＮＰＡとすると、少なくとも非保護領域ＮＰＡでは、ＦＰＣ１９のデータ信号回路層が本体フレーム６側に配置され、ＦＰＣ１９の破壊検知回路層がカードリーダの外部側に配置されている。【選択図】図４
2018169833.tif 000002
【特許請求の範囲】
【請求項１】
カードに記録されたデータの読取りおよび前記カードへのデータの記録の少なくともいずれか一方を行うカードリーダにおいて、
前記カードが移動するカード移動路が形成される本体フレームと、前記本体フレームに沿って引き回されるフレキシブルプリント基板と、前記フレキシブルプリント基板の一部を保護するためのプリント基板である保護基板とを備え、
前記フレキシブルプリント基板は、前記カードから読み取られたデータの信号および前記カードに記録されるデータの信号の少なくともいずれか一方を伝えるためのデータ信号回路が形成されるデータ信号回路層と、自身が断線したことおよび短絡したことの少なくともいずれか一方を検知するための破壊検知回路が形成されるとともに前記データ信号回路層と重なる破壊検知回路層とを備え、
前記保護基板には、自身が断線したことおよび短絡したことの少なくともいずれか一方を検知するための第２の破壊検知回路が形成され、
前記破壊検知回路層は、前記フレキシブルプリント基板の厚さ方向における前記データ信号回路層の一方側のみに形成され、
前記フレキシブルプリント基板の一部分は、前記保護基板に覆われ、
前記フレキシブルプリント基板の一部分が前記保護基板に覆われている領域を保護領域とし、前記保護領域を外れた領域を非保護領域とすると、
前記フレキシブルプリント基板は、少なくとも前記非保護領域において、前記データ信号回路層が前記本体フレーム側に配置され、かつ、前記破壊検知回路層が前記カードリーダの外部側に配置されるように引き回されていることを特徴とするカードリーダ。
【請求項２】
前記カードに記録された磁気データの読取りおよび前記カードへの磁気データの記録の少なくともいずれか一方を行う磁気ヘッドと、制御用のプリント基板である制御基板とを備え、
前記カードリーダへの前記カードの挿入方向側を後ろ側とし、前記カードリーダからの前記カードの抜取り方向側を前側とすると、
前記本体フレームは、前記カードリーダに挿入された前記カードの後端側部分が収容されるカード収容部と、前記カード収容部よりも前側に配置されるとともに前記磁気ヘッドが配置されるヘッド配置部とを備え、
前記フレキシブルプリント基板の一端は、前記磁気ヘッドに接続され、
前記フレキシブルプリント基板の他端は、前記制御基板に接続され、
前記磁気ヘッドは、前記非保護領域に配置され、
前記制御基板は、前記カード収容部に固定されるとともに前記保護領域に配置されていることを特徴とする請求項１記載のカードリーダ。
【請求項３】
前記本体フレームは、前記カード収容部の前端から鍔状に広がる鍔部を備え、
前記ヘッド配置部は、前記鍔部から前側に突出し、
前記鍔部の後ろ側が前記保護領域となっており、
少なくとも前記鍔部の前側において、前記データ信号回路層が前記本体フレーム側に配置され、かつ、前記破壊検知回路層が前記カードリーダの外部側に配置されていることを特徴とする請求項２記載のカードリーダ。
【請求項４】
前記カード移動路を移動する前記カードの厚さ方向の一方側を第１方向側とし、第１方向側の反対側を第２方向側とし、前記カードの厚さ方向と前後方向とに直交する前記カードの幅方向の一方側を第３方向側とし、第３方向側の反対側を第４方向側とすると、
前記磁気ヘッドは、前記磁気ヘッドの磁気ギャップが前記カード移動路に第１方向側から臨むように配置され、
前記フレキシブルプリント基板の一端は、前記磁気ヘッドの第１方向端側に接続され、
前記制御基板は、前記カード収容部の第２方向側の面に固定され、
前記フレキシブルプリント基板は、前記ヘッド配置部の第１方向側の面および前記カード収容部の第１方向側の面に沿って前記磁気ヘッドから後ろ側に伸びる第１基板部と、前記第１基板部の後端で第３方向側に９０°に折り曲げられた第１折曲部と、前記第１折曲部から第３方向側に伸びる第２基板部と、前記第２基板部の第３方向端で第２方向側に９０°に折り曲げられた第２折曲部と、前記第２折曲部から第２方向側に伸びる第３基板部と、前記第３基板部の第２方向端で第４方向側に９０°に折り曲げられた第３折曲部と、前記第３折曲部から第４方向側に伸びるとともに前記制御基板に接続される第４基板部とを備える細長い帯状に形成され、
前記第１折曲部、前記第２基板部、前記第２折曲部、前記第３基板部、前記第３折曲部および前記第４基板部は、前記鍔部の後ろ側に配置され、
前記第１基板部では、前記データ信号回路層が前記本体フレーム側に配置されるとともに、前記破壊検知回路層が前記カードリーダの外部側に配置され、
前記第２基板部、前記第３基板部および前記第４基板部では、前記破壊検知回路層が前記本体フレーム側に配置されるとともに、前記データ信号回路層が前記カードリーダの外部側に配置されていることを特徴とする請求項３記載のカードリーダ。
【請求項５】
前記保護基板は、板状またはフィルム状に形成される第１保護基板と第２保護基板と第３保護基板と第４保護基板と第５保護基板とを備え、
前記第１保護基板は、前記カード収容部よりも後ろ側に配置され、
前記第２保護基板は、前記第１基板部および前記第２基板部よりも第１方向側に配置され、
前記第３保護基板は、前記第４基板部よりも第２方向側に配置され、
前記第４保護基板は、前記第３基板部よりも第３方向側に配置され、
前記第５保護基板は、前記カード収容部よりも第４方向側に配置されていることを特徴とする請求項４記載のカードリーダ。
【発明の詳細な説明】
【技術分野】
【０００１】
本発明は、カードに記録されたデータの読取りやカードへのデータの記録を行うカードリーダに関する。
【背景技術】
【０００２】
従来、カードに記録されたデータの読取りやカードへのデータの記録を行う手動式のカードリーダが知られている（たとえば、特許文献１参照）。特許文献１に記載のカードリーダは、カードに記録された磁気データを読み取る磁気ヘッドと、磁気ヘッドに接続されるフレキシブルプリント基板とを備えている。
【０００３】
特許文献１に記載のカードリーダでは、フレキシブルプリント基板は、データ信号層と断線検知信号層と絶縁層とを備える多層構造となっており、フレキシブルプリント基板の表面から裏面に向かって、絶縁層、断線検知信号層、絶縁層、データ信号層、絶縁層、断線検知信号層および絶縁層がこの順番で積層されている。データ信号層には、磁気データの信号を伝えるデータ信号回路（データ信号パターン）が形成されている。断線検知信号層には、自身が断線したことを検知するための断線検知信号回路（断線検知信号パターン）が形成されている。
【０００４】
特許文献１に記載のカードリーダでは、データ信号回路は、フレキシブルプリント基板の表側および裏側の両方から断線検知信号回路に覆われている。そのため、このカードリーダでは、犯罪者がデータ信号回路からデータを不正に取得しようとして、データ不正取得用の信号線をデータ信号回路に取り付けると、断線検知信号回路が断線して、フレキシブルプリント基板に対して不正行為が行われていることが検知される。また、フレキシブルプリント基板に対して不正行為が行われていることが検知されたときに、所定の処理を実行することで、データ信号回路からのデータの不正取得を防止することが可能になる。
【先行技術文献】
【特許文献】
【０００５】
【特許文献１】特開２０１２−２０３９５０号公報
【発明の概要】
【発明が解決しようとする課題】
【０００６】
特許文献１に記載のカードリーダでは、フレキシブルプリント基板の表側および裏側の両方からデータ信号回路が断線検知信号回路に覆われているため、上述のように、データ信号回路からのデータの不正取得を防止することが可能になっている。一方で、このカードリーダの場合、フレキシブルプリント基板の厚さ方向においてデータ信号層の両側に断線検知信号層が配置されているため、フレキシブルプリント基板のコストが高くなるとともに、フレキシブルプリント基板の厚さが厚くなる。また、フレキシブルプリント基板の厚さが厚くなると、フレキシブルプリント基板の柔軟性が低下して、カードに対する磁気ヘッドの追従性が低下するおそれがある。
【０００７】
そこで、本発明の課題は、カードから読み取られたデータの信号やカードに記録されるデータの信号を伝えるためのデータ信号回路が形成されるフレキシブルプリント基板を備えるカードリーダにおいて、フレキシブルプリント基板のコストを低減すること、および、フレキシブルプリント基板の厚さを薄くすることが可能であっても、データ信号回路からのデータの不正取得を防止することが可能なカードリーダを提供することにある。
【課題を解決するための手段】
【０００８】
上記の課題を解決するため、本発明のカードリーダは、カードに記録されたデータの読取りおよびカードへのデータの記録の少なくともいずれか一方を行うカードリーダにおいて、カードが移動するカード移動路が形成される本体フレームと、本体フレームに沿って引き回されるフレキシブルプリント基板と、フレキシブルプリント基板の一部を保護するためのプリント基板である保護基板とを備え、フレキシブルプリント基板は、カードから読み取られたデータの信号およびカードに記録されるデータの信号の少なくともいずれか一方を伝えるためのデータ信号回路が形成されるデータ信号回路層と、自身が断線したことおよび短絡したことの少なくともいずれか一方を検知するための破壊検知回路が形成されるとともにデータ信号回路層と重なる破壊検知回路層とを備え、保護基板には、自身が断線したことおよび短絡したことの少なくともいずれか一方を検知するための第２の破壊検知回路が形成され、破壊検知回路層は、フレキシブルプリント基板の厚さ方向におけるデータ信号回路層の一方側のみに形成され、フレキシブルプリント基板の一部分は、保護基板に覆われ、フレキシブルプリント基板の一部分が保護基板に覆われている領域を保護領域とし、保護領域を外れた領域を非保護領域とすると、フレキシブルプリント基板は、少なくとも非保護領域において、データ信号回路層が本体フレーム側に配置され、かつ、破壊検知回路層がカードリーダの外部側に配置されるように引き回されていることを特徴とする。
【０００９】
本発明のカードリーダでは、フレキシブルプリント基板の厚さ方向におけるデータ信号回路層の一方側のみに破壊検知回路層が形成されている。そのため、本発明では、フレキシブルプリント基板の厚さ方向におけるデータ信号回路層の両側に破壊検知回路層が形成されている場合と比較して、フレキシブルプリント基板のコストを低減することが可能になるとともに、フレキシブルプリント基板の厚さを薄くすることが可能になる。
【００１０】
また、本発明では、保護領域では、フレキシブルプリント基板の一部分が保護基板に覆われているため、保護領域において、犯罪者がデータ不正取得用の信号線をデータ信号回路に取り付けようとしたときに、少なくとも保護基板の第２の破壊検知回路を断線させたり短絡させたりして、フレキシブルプリント基板に対して不正行為が行われていることを検知することが可能になる。
【００１１】
また、本発明では、保護領域から外れた領域である非保護領域では、フレキシブルプリント基板の残りの一部分は保護基板に覆われていないが、フレキシブルプリント基板は、データ信号回路層が本体フレーム側に配置され、かつ、破壊検知回路層がカードリーダの外部側に配置されるように引き回されている。そのため、本発明では、非保護領域において、犯罪者がデータ不正取得用の信号線をデータ信号回路に取り付けようとしたときに、フレキシブルプリント基板の破壊検知回路を断線させたり短絡させたりして、フレキシブルプリント基板に対して不正行為が行われていることを検知することが可能になる。
【００１２】
すなわち、本発明では、保護領域および非保護領域のいずれの領域においても、犯罪者がデータ不正取得用の信号線をデータ信号回路に取り付けようとしたときに、フレキシブルプリント基板に対して不正行為が行われていることを検知することが可能になる。また、本発明では、フレキシブルプリント基板に対して不正行為が行われていることが検知されたときに、所定の処理を実行することで、データ信号回路からのデータの不正取得を防止することが可能になる。このように、本発明では、フレキシブルプリント基板のコストを低減すること、および、フレキシブルプリント基板の厚さを薄くすることが可能であっても、データ信号回路からのデータの不正取得を防止することが可能になる。
【００１３】
本発明において、カードリーダは、たとえば、カードに記録された磁気データの読取りおよびカードへの磁気データの記録の少なくともいずれか一方を行う磁気ヘッドと、制御用のプリント基板である制御基板とを備え、カードリーダへのカードの挿入方向側を後ろ側とし、カードリーダからのカードの抜取り方向側を前側とすると、本体フレームは、カードリーダに挿入されたカードの後端側部分が収容されるカード収容部と、カード収容部よりも前側に配置されるとともに磁気ヘッドが配置されるヘッド配置部とを備え、フレキシブルプリント基板の一端は、磁気ヘッドに接続され、フレキシブルプリント基板の他端は、制御基板に接続され、磁気ヘッドは、非保護領域に配置され、制御基板は、カード収容部に固定されるとともに保護領域に配置されている。
【００１４】
本発明では、フレキシブルプリント基板の厚さを薄くすることが可能になり、その結果、フレキシブルプリント基板の柔軟性を高めることが可能になるため、この場合には、フレキシブルプリント基板の一端が磁気ヘッドに接続されていても、カードに対する磁気ヘッドの追従性を確保することが可能になる。また、本発明では、非保護領域において、データ信号回路層が本体フレーム側に配置されるとともに、破壊検知回路層がカードリーダの外部側に配置されているため、この場合には、磁気ヘッドが非保護領域に配置されていても、データ信号回路からの磁気データの不正取得を防止することが可能になる。
【００１５】
本発明において、たとえば、本体フレームは、カード収容部の前端から鍔状に広がる鍔部を備え、ヘッド配置部は、鍔部から前側に突出し、鍔部の後ろ側が保護領域となっており、少なくとも鍔部の前側において、データ信号回路層が本体フレーム側に配置され、かつ、破壊検知回路層がカードリーダの外部側に配置されている。
【００１６】
本発明において、カード移動路を移動するカードの厚さ方向の一方側を第１方向側とし、第１方向側の反対側を第２方向側とし、カードの厚さ方向と前後方向とに直交するカードの幅方向の一方側を第３方向側とし、第３方向側の反対側を第４方向側とすると、たとえば、磁気ヘッドは、磁気ヘッドの磁気ギャップがカード移動路に第１方向側から臨むように配置され、フレキシブルプリント基板の一端は、磁気ヘッドの第１方向端側に接続され、制御基板は、カード収容部の第２方向側の面に固定され、フレキシブルプリント基板は、ヘッド配置部の第１方向側の面およびカード収容部の第１方向側の面に沿って磁気ヘッドから後ろ側に伸びる第１基板部と、第１基板部の後端で第３方向側に９０°に折り曲げられた第１折曲部と、第１折曲部から第３方向側に伸びる第２基板部と、第２基板部の第３方向端で第２方向側に９０°に折り曲げられた第２折曲部と、第２折曲部から第２方向側に伸びる第３基板部と、第３基板部の第２方向端で第４方向側に９０°に折り曲げられた第３折曲部と、第３折曲部から第４方向側に伸びるとともに制御基板に接続される第４基板部とを備える細長い帯状に形成され、第１折曲部、第２基板部、第２折曲部、第３基板部、第３折曲部および第４基板部は、鍔部の後ろ側に配置され、第１基板部では、データ信号回路層が本体フレーム側に配置されるとともに、破壊検知回路層がカードリーダの外部側に配置され、第２基板部、第３基板部および第４基板部では、破壊検知回路層が本体フレーム側に配置されるとともに、データ信号回路層がカードリーダの外部側に配置されている。
【００１７】
この場合には、フレキシブルプリント基板が細長い帯状に形成されているため、第２基板部、第３基板部および第４基板部では、破壊検知回路層が本体フレーム側に配置されるとともに、データ信号回路層がカードリーダの外部側に配置されるが、第２基板部、第３基板部および第４基板部は、鍔部の後ろ側の保護領域に配置されている。したがって、第２基板部、第３基板部および第４基板部において、破壊検知回路層がカード収容部側に配置され、かつ、データ信号回路層がカードリーダの外部側に配置されていても、データ信号回路からの磁気データの不正取得を防止することが可能になる。すなわち、フレキシブルプリント基板を製造する際のフレキシブルプリント基板の取り数を増やすためにフレキシブルプリント基板が細長い帯状に形成されていても、データ信号回路からの磁気データの不正取得を防止することが可能になる。したがって、フレキシブルプリント基板のコストをより低減しつつ、データ信号回路からの磁気データの不正取得を防止することが可能になる。
【００１８】
本発明において、たとえば、保護基板は、板状またはフィルム状に形成される第１保護基板と第２保護基板と第３保護基板と第４保護基板と第５保護基板とを備え、第１保護基板は、カード収容部よりも後ろ側に配置され、第２保護基板は、第１基板部および第２基板部よりも第１方向側に配置され、第３保護基板は、第４基板部よりも第２方向側に配置され、第４保護基板は、第３基板部よりも第３方向側に配置され、第５保護基板は、カード収容部よりも第４方向側に配置されている。
【発明の効果】
【００１９】
以上のように、本発明では、カードから読み取られたデータの信号やカードに記録されるデータの信号を伝えるためのデータ信号回路が形成されるフレキシブルプリント基板を備えるカードリーダにおいて、フレキシブルプリント基板のコストを低減すること、および、フレキシブルプリント基板の厚さを薄くすることが可能であっても、データ信号回路からのデータの不正取得を防止することが可能になる。
【図面の簡単な説明】
【００２０】
【図１】本発明の実施の形態にかかるカードリーダの斜視図である。
【図２】図１に示すカードリーダからケース本体を取り外した状態の分解斜視図である。
【図３】図１に示すカードリーダからケース体を取り外した状態の斜視図である。
【図４】図１に示すカードリーダからケース体および保護基板等を取り外した状態を別の方向から示す斜視図である。
【図５】（Ａ）は、図４に示すフレキシブルプリント基板の展開図であり、（Ｂ）は、図４に示すフレキシブルプリント基板の構成を説明するための断面図である。
【図６】図４に示す磁気ヘッドおよびフレキシブルプリント基板を抜き出して別の方向から示す斜視図である。
【図７】図２に示す保護基板の構成を説明するための断面図である。
【発明を実施するための形態】
【００２１】
以下、図面を参照しながら、本発明の実施の形態を説明する。
【００２２】
（カードリーダの全体構成）
図１は、本発明の実施の形態にかかるカードリーダ１の斜視図である。図２は、図１に示すカードリーダ１からケース本体１２を取り外した状態の分解斜視図である。図３は、図１に示すカードリーダ１からケース体４を取り外した状態の斜視図である。図４は、図１に示すカードリーダ１からケース体４および保護基板１４等を取り外した状態を別の方向から示す斜視図である。
【００２３】
本形態のカードリーダ１は、カード２に記録されたデータの読取りやカード２へのデータの記録を行う装置である。具体的には、カードリーダ１は、カードリーダ１へのカード２の挿入とカードリーダ１からのカード２の抜取りとを手動で行ってデータの読取りや記録を行ういわゆるディップ式のカードリーダである。このカードリーダ１は、たとえば、無人またはセルフサービス方式のガソリンスタンドの給油装置やＡＴＭ等の上位装置に搭載されて使用される。
【００２４】
カード２は、たとえば、厚さが０．７〜０．８ｍｍ程度の矩形状の塩化ビニール製のカードである。カード２の一方の面には、磁気データが記録される磁気ストライプが形成されている。また、カード２には、ＩＣチップが内蔵されており、カード２の他方の面には、ＩＣチップの外部接続端子が形成されている。なお、カード２は、厚さが０．１８〜０．３６ｍｍ程度のＰＥＴ（ポリエチレンテレフタレート）カードや、所定の厚さの紙カード等であっても良い。
【００２５】
カードリーダ１は、カードリーダ本体３と、カードリーダ本体３を覆うケース体４とを備えている。カードリーダ本体３は、カード２が移動するカード移動路５が形成される本体フレーム６と、カード２に記録された磁気データの読取りおよびカード２への磁気データの記録の少なくともいずれか一方を行う磁気ヘッド７（図４参照）と、カード２に内蔵されるＩＣチップとデータの通信を行うための複数のＩＣ接点バネを有するＩＣ接点ブロック（図示省略）とを備えている。
【００２６】
ケース体４は、カード２の挿入口１０が形成される前面カバー１１と、ケース本体１２とから構成されている。また、カードリーダ１は、制御用のプリント基板である制御基板１３（図２参照）と、制御基板１３を保護するためのプリント基板である保護基板１４と、前面カバー１１が取り外されたこと、および、カードリーダ１が上位装置から取り外されたことを検知するためのシートスイッチ（メンブレンスイッチ）１５とを備えている。
【００２７】
本形態では、手動で操作されるカード２は、図１等に示すＸ方向に移動する。すなわち、Ｘ方向は、カード移動路５を移動するカード２の移動方向である。また、カード２は、Ｘ１方向に挿入され、Ｘ２方向に抜き取られる。また、Ｘ方向に直交する図１等のＺ方向は、カード移動路５を移動するカード２の厚さ方向であり、Ｘ方向とＺ方向とに直交する図１等のＹ方向は、カード移動路５を移動するカード２の幅方向（短手幅方向）である。
【００２８】
以下の説明では、Ｘ方向を前後方向、Ｙ方向を左右方向、Ｚ方向を上下方向とする。また、カードリーダ１へのカード２の挿入方向側であるＸ１方向側を「後ろ」側とし、カードリーダ１からのカード２の抜取り方向側であるＸ２方向側を「前」側とする。また、左右方向の一方側であるＹ１方向側を「右」側、左右方向の他方側であるＹ２方向側を「左」側、上下方向の一方側であるＺ１方向側を「上」側、上下方向の他方側であるＺ２方向側を「下」側とする。本形態の下側（Ｚ２方向側）は、カード２の厚さ方向の一方側である第１方向側となっており、上側（Ｚ１方向側）は、第２方向側となっている。また、右側（Ｙ１方向側）は、カード２の幅方向の一方側である第３方向側となっており、左側（Ｙ２方向側）は、第４方向側となっている。
【００２９】
本体フレーム６は、カードリーダ１に挿入されたカード２（すなわち、挿入口１０から挿入されたカード２）の後端側部分が収容されるカード収容部６ａと、磁気ヘッド７が配置されるヘッド配置部６ｂと、挿入口１０から挿入されたカード２を案内するためのカード案内部６ｃとを備えている。ヘッド配置部６ｂおよびカード案内部６ｃは、カード収容部６ａよりも前側に配置されている。ヘッド配置部６ｂおよびカード案内部６ｃと、カード収容部６ａとの間には、鍔状に広がる鍔部６ｄが形成されている。
【００３０】
鍔部６ｄは、カード収容部６ａの前端から上下方向および左右方向に広がる略長方形の鍔状に形成されている。ヘッド配置部６ｂおよびカード案内部６ｃは、鍔部６ｄから前側へ突出している。ヘッド配置部６ｂとカード案内部６ｃとは、左右方向において間隔をあけた状態で形成されている。本形態では、ヘッド配置部６ｂが右側に配置され、カード案内部６ｃが左側に配置されている。磁気ヘッド７は、ヘッド配置部６ｂの前端側に取り付けられている。磁気ヘッド７は、磁気ヘッド７の磁気ギャップがカード移動路５に下側から臨むように配置されている。また、カード収容部６ａには、ＩＣ接点ブロックが取り付けられている。
【００３１】
前面カバー１１は、本体フレーム６の前面側に配置されており、本体フレーム６の前面側部分を覆っている。また、前面カバー１１は、カードリーダ１の前面を構成している。前面カバー１１の前面側には、上位装置へのカードリーダ１の取付面１１ａが形成されている。取付面１１ａは、前後方向に直交する平面となっている。また、前面カバー１１の前面側には、上位装置の前面パネルに形成される開口の中に配置される露出部１１ｂが形成されている。露出部１１ｂは、取付面１１ａから前側へ突出するように形成されており、上位装置にカードリーダ１が取り付けられたときに、上位装置の前面パネルの一部を構成している。
【００３２】
また、前面カバー１１には、露出部１１ｂの前面から後ろ側に向かって窪む指挿入部１１ｃが形成されている。指挿入部１１ｃは、ユーザの指が挿入可能となる大きさに形成されており、ユーザがカードリーダ１へカード２を挿入する際、および、ユーザがカードリーダ１からカード２を抜き取る際には、この指挿入部１１ｃにユーザの指が挿入される。挿入口１０は、露出部１１ｂの前面、指挿入部１１ｃの左右の両側面および後面に形成されている。また、前面カバー１１の前面側には、取付面１１ａから後ろ側に向かって窪む凹部１１ｄが形成されている。凹部１１ｄは、露出部１１ｂの左側に形成されている。
【００３３】
ケース本体１２は、前端が開口する略直方体の箱状に形成されている。前面カバー１１とケース本体１２とは、前面カバー１１の後端とケース本体１２の前端とが当接した状態で互いに固定されている。ケース体４は、カードリーダ本体３の上下の両面、左右の両面および前後の両面を覆っている。
【００３４】
制御基板１３は、略長方形の平板状に形成されたリジッド基板である。この制御基板１３は、カード収容部６ａに固定されている。具体的には、制御基板１３は、カード収容部６ａの上面に固定されている。制御基板１３は、制御基板１３の厚さ方向と上下方向とが一致するように配置されている。また、制御基板１３は、鍔部６ｄよりも後ろ側に配置されるとともに、鍔部６ｄの上端よりも下側に配置されている。磁気ヘッド７は、フレキシブルプリント基板１９を介して制御基板１３に電気的に接続されている。ＩＣ接点ブロックも、フレキシブルプリント基板を介して制御基板１３に電気的に接続されている。
【００３５】
図２に示すように、制御基板１３には、フレキシブルプリント基板１９が接続されるコネクタ２２と、保護基板１４が接続されるコネクタ２３と、シートスイッチ１５が接続されるコネクタ２４とが実装されている。コネクタ２２〜２４は、制御基板１３の上面に実装されている。また、制御基板１３には、シートスイッチ１５に電力を供給するバッテリー２５が実装されている。
【００３６】
制御基板１３は、磁気ヘッド７によってカード２の磁気ストライプから読み取った磁気データの信号（データ信号）や磁気ヘッド７によってカード２の磁気ストライプに記録するデータ信号を伝えるためのデータ信号回路が形成されるデータ信号回路層を備えている。また、制御基板１３は、ＩＣ接点バネによってカード２のＩＣチップから読み取ったデータの信号（データ信号）やＩＣ接点バネによってカード２のＩＣチップに記録するデータ信号を伝えるためのデータ信号回路が形成されるデータ信号回路層を備えている。
【００３７】
シートスイッチ１５は、薄いシート状に形成されている。シートスイッチ１５は、前面カバー１１が取り外されたことを検知するためのスイッチ部１５ａと、カードリーダ１が上位装置から取り外されたことを検知するためのスイッチ部１５ｂと、スイッチ部１５ａ、１５ｂを制御基板１３に接続する帯状の接続部１５ｃとから構成されている。スイッチ部１５ａ、１５ｂは、接点電極等を有する接触式の検知スイッチである。
【００３８】
スイッチ部１５ａは、前面カバー１１の後面の上端側に固定されている。前面カバー１１とケース本体１２とが互いに固定された状態では、スイッチ部１５ａの接点電極は、本体フレーム６の鍔部６ｄの前面に形成される凸部６ｅによって前側に押されており、スイッチ部１５ａは、導通状態となっている。一方、前面カバー１１が取り外されると、スイッチ部１５ａの接点電極が凸部６ｅに押されなくなって、スイッチ部１５ａが非導通状態となるため、前面カバー１１が取り外されたことが検知される。
【００３９】
スイッチ部１５ｂは、前面カバー１１の凹部１１ｄの底面（後ろ側の面）に固定されている。カードリーダ１が上位装置に取り付けられた状態では、スイッチ部１５ｂの接点電極は、上位装置の前面パネルの後面に形成される凸部（図示省略）によって後ろ側に押されており、スイッチ部１５ｂは、導通状態となっている。一方、上位装置からカードリーダ１が取り外されると、スイッチ部１５ｂの接点電極が上位装置の凸部に押されなくなって、スイッチ部１５ｂが非導通状態となるため、カードリーダ１が上位装置から取り外されたことが検知される。
【００４０】
接続部１５ｃの一端は、コネクタ２４に接続されている。接続部１５ｃの他端側は、スイッチ部１５ａに繋がる部分と、スイッチ部１５ｂに繋がる部分とに分岐している。鍔部６ｄには、前後方向に貫通する貫通穴が形成されており、シートスイッチ１５は、この貫通穴を通過するように引き回されている。
【００４１】
（フレキシブルプリント基板および保護基板の構成）
図５（Ａ）は、図４に示すフレキシブルプリント基板１９の展開図であり、図５（Ｂ）は、図４に示すフレキシブルプリント基板１９の構成を説明するための断面図である。図６は、図４に示す磁気ヘッド７およびフレキシブルプリント基板１９を抜き出して別の方向から示す斜視図である。図７は、図２に示す保護基板１４の構成を説明するための断面図である。
【００４２】
フレキシブルプリント基板１９（以下、「ＦＰＣ１９」とする。）は、細長い帯状に形成されている。ＦＰＣ１９の一端は、磁気ヘッド７に接続されている。具体的には、ＦＰＣ１９の一端は、磁気ヘッド７の下端側に接続されている。ＦＰＣ１９の他端は、コネクタ２２に接続されている。すなわち、ＦＰＣ１９の他端は、コネクタ２２を介して制御基板１３に接続されている。ＦＰＣ１９は、所定形状に折り曲げられた状態で本体フレーム６に沿って引き回されている。
【００４３】
ＦＰＣ１９は、コネクタ２２に接続される被接続部１９ａと、磁気ヘッド７に接続される被接続部１９ｂと、被接続部１９ｂを覆う覆部１９ｃと、被接続部１９ｂと覆部１９ｃとを繋ぐ接続部１９ｄと、被接続部１９ａと覆部１９ｃとを繋ぐ接続部１９ｅとから構成されている。被接続部１９ａは、略長方形状に形成されている。被接続部１９ｂおよび覆部１９ｃは、略正方形状に形成されている。接続部１９ｄは、直線状に形成されている。
【００４４】
接続部１９ｅは、直線状に形成される第１直線接続部１９ｆおよび第２直線接続部１９ｇと、第１直線接続部１９ｆと第２直線接続部１９ｇとの間に配置される略楕円形状の楕円接続部１９ｈとから構成されている。第１直線接続部１９ｆの一端は、被接続部１９ａに繋がり、第１直線接続部１９ｆの他端は、楕円接続部１９ｈに繋がっている。第２直線接続部１９ｇの一端は、覆部１９ｃに繋がり、第２直線接続部１９ｇの他端は、楕円接続部１９ｈに繋がっている。
【００４５】
第１直線接続部１９ｆおよび第２直線接続部１９ｇは、ＦＰＣ１９が展開された状態で、第１直線接続部１９ｆと第２直線接続部１９ｇとが同一直線上に配置されるように形成されている。接続部１９ｄは、ＦＰＣ１９が展開された状態で、第２直線接続部１９ｇと接続部１９ｄとが直交するように形成されている。楕円接続部１９ｈには、２個の貫通穴１９ｊ、１９ｋが形成されている。
【００４６】
被接続部１９ｂは、磁気ヘッド７の下端部に半田付けされて接続されている。覆部１９ｃは、被接続部１９ｂを下側から覆っている。すなわち、覆部１９ｃは、被接続部１９ｂが接続される磁気ヘッド７の出力端子を下側から覆っている。接続部１９ｄは、被接続部１９ｂが覆部１９ｃに覆われるように折り返されている。なお、被接続部１９ｂ、接続部１９ｄおよび覆部１９ｃは、樹脂製の封止部材（図示省略）によって覆われている。また、磁気ヘッド７の下端には、図４に示すように、覆部１９ｃを下側から覆うカバー２９が固定されている。
【００４７】
接続部１９ｅは、磁気ヘッド７から後ろ側に向かって引き回されている。また、接続部１９ｅは、薄いフィルム状に形成される接続部１９ｅと本体フレーム６の表面とが平行になるように、本体フレーム６の表面に沿って引き回されている。本形態では、第２直線接続部１９ｇおよび楕円接続部１９ｈは、本体フレーム６の鍔部６ｄの前側に配置され、第１直線接続部１９ｆは、鍔部６ｄの後ろ側に配置されている。
【００４８】
また、接続部１９ｅは、図４に示すように、ヘッド配置部６ｂの下面およびカード収容部６ａの下面に沿って磁気ヘッド７から後ろ側に引き回された後、鍔部６ｄの後ろ側で右側に９０°に折り曲げられて右側へ向かって引き回されている。その後、接続部１９ｅは、図２に示すように、上側に９０°に折り曲げられて、カード収容部６ａの右側面に沿って引き回されてから、左側に９０°に折り曲げられて、制御基板１３の上面に沿って引き回されている。接続部１９ｅの、左側に９０°に折り曲げられた部分の先端は、被接続部１９ａに繋がっている。被接続部１９ａは、コネクタ２２に差し込まれている。すなわち、被接続部１９ａは、制御基板１３に接続されている。また、被接続部１９ａは、薄いフィルム状に形成される被接続部１９ａと制御基板１３の表面とが平行になるように配置されている。
【００４９】
このように、接続部１９ｅは、ヘッド配置部６ｂの下面およびカード収容部６ａの下面に沿って磁気ヘッド７から後ろ側に伸びる第１基板部としての基板部１９ｐと、基板部１９ｐの後端で右側に９０°に折り曲げられた第１折曲部としての折曲部１９ｑと、折曲部１９ｑから右側に伸びる第２基板部としての基板部１９ｒと、基板部１９ｒの右端で上側に９０°に折り曲げられた第２折曲部としての折曲部１９ｓと、折曲部１９ｓから上側に伸びる第３基板部としての基板部１９ｔと、基板部１９ｔの上端で左側に９０°に折り曲げられた第３折曲部としての折曲部１９ｕと、折曲部１９ｕから左側に伸びる基板部１９ｖとから構成されている。折曲部１９ｕの左端は、被接続部１９ａの右端に繋がっている。本形態では、基板部１９ｖと被接続部１９ａとによって第４基板部が構成されている。
【００５０】
基板部１９ｐの前端側部分は、第２直線接続部１９ｇと楕円接続部１９ｈとによって構成されており、鍔部６ｄの前側に配置されている。基板部１９ｐの後端側部分、基板部１９ｒ、１９ｔ、１９ｖ、折曲部１９ｑ、１９ｓ、１９ｕおよび被接続部１９ａは、鍔部６ｄの後ろ側に配置されている。基板部１９ｐは、上述のように、ヘッド配置部６ｂの下面およびカード収容部６ａの下面に沿って引き回されている。また、基板部１９ｒは、カード収容部６ａの下面に沿って引き回され、基板部１９ｔは、カード収容部６ａの右側面に沿って引き回され、基板部１９ｖおよび被接続部１９ａは、制御基板１３の上面に沿って引き回されている。なお、鍔部６ｄには、前後方向に貫通する貫通穴６ｆ（図４参照）が形成されており、接続部１９ｅは、貫通穴６ｆを通過するように引き回されている。
【００５１】
また、ＦＰＣ１９は、カード２から読み取られたデータの信号およびカード２に記録されるデータの信号の少なくともいずれか一方を伝えるためのデータ信号回路が形成されるデータ信号回路層３２と、自身が断線したことおよび短絡したことを検知するための破壊検知回路が形成される破壊検知回路層３４と、データ信号回路層３２および破壊検知回路層３４を保護する絶縁層３５とを備えている。データ信号回路層３２の外形、破壊検知回路層３４の外形および絶縁層３５の外形は、ＦＰＣ１９の外形とほぼ等しくなっている。
【００５２】
図５（Ｂ）に示すように、絶縁層３５とデータ信号回路層３２と絶縁層３５と破壊検知回路層３４と絶縁層３５とは、ＦＰＣ１９の一方の面から他方の面に向かってこの順番で積層されている。すなわち、破壊検知回路層３４は、絶縁層３５を介してデータ信号回路層３２と重なっている。また、破壊検知回路層３４は、ＦＰＣ１９の厚さ方向におけるデータ信号回路層３２の一方側のみに形成されている。
【００５３】
データ信号回路は、磁気データの信号を伝える。このデータ信号回路は、データ信号回路層３２のほぼ全域に形成されている。破壊検知回路には、破壊検知信号が流れている。破壊検知回路は、破壊検知回路層３４の、被接続部１９ａの部分と覆部１９ｃの部分と接続部１９ｅの部分とに形成されている。また、破壊検知回路は、バッテリー２５に接続されている。
【００５４】
基板部１９ｐでは、データ信号回路層３２が本体フレーム６側（すなわち、ヘッド配置部６ｂ側およびカード収容部６ａ側）に配置され、破壊検知回路層３４がカードリーダ１の外部側に配置されている。すなわち、基板部１９ｐでは、データ信号回路層３２が上側に配置され、破壊検知回路層３４が下側に配置されている。
【００５５】
一方、基板部１９ｒ、１９ｔ、１９ｖおよび被接続部１９ａでは、破壊検知回路層３４が本体フレーム６側に配置され、データ信号回路層３２がカードリーダ１の外部側に配置されている。すなわち、基板部１９ｒでは、破壊検知回路層３４が上側に配置され、データ信号回路層３２が下側に配置されている。また、基板部１９ｔでは、破壊検知回路層３４が左側に配置され、データ信号回路層３２が右側に配置されている。さらに、基板部１９ｖおよび被接続部１９ａでは、破壊検知回路層３４が下側に配置され、データ信号回路層３２が上側に配置されている。
【００５６】
保護基板１４は、フレキシブルプリント基板であり、柔軟性を有するフィルム状に形成されている。図７に示すように、保護基板１４は、自身が断線したことおよび短絡したことを検知するための第２の破壊検知回路が形成される破壊検知回路層３７と、破壊検知回路層３７を挟むように配置される絶縁層３８とを備えている。第２の破壊検知回路は、保護基板１４のほぼ全域に形成されている。第２の破壊検知回路には、破壊検知信号が流れている。また、第２の破壊検知回路は、バッテリー２５に接続されている。絶縁層３８は、破壊検知回路層３７の上下の両面を覆っている。
【００５７】
保護基板１４は、カードリーダ１の後面側に配置される後面部１４ａと、カードリーダ１の上面側に配置される上面部１４ｂと、カードリーダ１の下面側に配置される下面部１４ｃと、カードリーダ１の右側面側に配置される右側面部１４ｄと、カードリーダ１の左側面側に配置される左側面部１４ｅと、コネクタ２３に接続される帯状の被接続部１４ｆとから構成されている。また、保護基板１４は、鍔部６ｄよりも後ろ側に配置されている。
【００５８】
保護基板１４は、所定形状のフレキシブルプリント基板を折り曲げることで形成されており、後面部１４ａと上面部１４ｂと下面部１４ｃと右側面部１４ｄと左側面部１４ｅと被接続部１４ｆとは一体になっている。具体的には、後面部１４ａの上端と上面部１４ｂの後端とが繋がり、後面部１４ａの下端と下面部１４ｃの後端とが繋がり、右側面部１４ｄの上端側部分の上端と上面部１４ｂの右端とが繋がり、左側面部１４ｅの上端側部分の上端と上面部１４ｂの左端とが繋がり、右側面部１４ｄの下端側部分の下端と下面部１４ｃの右端とが繋がり、左側面部１４ｅの下端側部分の下端と下面部１４ｃの左端とが繋がっている。また、被接続部１４ｆは、上面部１４ｂの前端に繋がっている。
【００５９】
後面部１４ａは、制御基板１３およびカード収容部６ａよりも後ろ側に配置され、上面部１４ｂは、制御基板１３およびカード収容部６ａよりも上側に配置され、下面部１４ｃは、制御基板１３およびカード収容部６ａよりも下側に配置され、右側面部１４ｄは、制御基板１３およびカード収容部６ａよりも右側に配置され、左側面部１４ｅは、制御基板１３およびカード収容部６ａよりも左側に配置されている。すなわち、保護基板１４は、上下の両側、左右の両側および後ろ側からカード収容部６ａおよび制御基板１３を囲むように配置されており、上下の両側、左右の両側および後ろ側からカード収容部６ａおよび制御基板１３を覆っている。
【００６０】
また、下面部１４ｃは、ＦＰＣ１９の基板部１９ｐ、１９ｒよりも下側に配置されており、基板部１９ｐの、鍔部６ｄよりも後ろ側の部分および基板部１９ｒを下側から覆っている。右側面部１４ｄは、ＦＰＣ１９の基板部１９ｔよりも右側に配置されており、基板部１９ｔを右側から覆っている。上面部１４ｂは、ＦＰＣ１９の基板部１９ｖおよび被接続部１９ａよりも上側に配置されており、基板部１９ｖおよび被接続部１９ａを上側から覆っている。
【００６１】
このように、ＦＰＣ１９の一部分は、保護基板１４に覆われている。すなわち、保護基板１４は、ＦＰＣ１９の一部分を覆っており、ＦＰＣ１９の一部を保護する機能を果たしている。本形態の後面部１４ａは第１保護基板であり、下面部１４ｃは第２保護基板であり、上面部１４ｂは第３保護基板であり、右側面部１４ｄは第４保護基板であり、左側面部１４ｅは第５保護基板である。
【００６２】
ＦＰＣ１９の一部分が保護基板１４に覆われている領域を保護領域ＰＡとし、保護領域ＰＡを外れた領域を非保護領域ＮＰＡとすると、本形態では、鍔部６ｄの後ろ側が保護領域ＰＡとなっている。また、鍔部６ｄの前側が非保護領域ＮＰＡとなっている。磁気ヘッド７は、非保護領域ＮＰＡに配置されている。制御基板１３は、保護領域ＰＡに配置されている。
【００６３】
上述のように、基板部１９ｐでは、データ信号回路層３２が本体フレーム６側に配置され、破壊検知回路層３４がカードリーダ１の外部側に配置されている。すなわち、非保護領域ＮＰＡに配置される基板部１９ｐの前端側部分では、データ信号回路層３２が本体フレーム６側に配置され、破壊検知回路層３４がカードリーダ１の外部側に配置されている。また、保護領域ＰＡに配置される基板部１９ｐの後端側部分でも、データ信号回路層３２が本体フレーム６側に配置され、破壊検知回路層３４がカードリーダ１の外部側に配置されている。一方、保護領域ＰＡに配置される基板部１９ｒ、１９ｔ、１９ｖおよび被接続部１９ａでは、破壊検知回路層３４が本体フレーム６側に配置され、データ信号回路層３２がカードリーダ１の外部側に配置されている。
【００６４】
このように、本形態では、少なくとも鍔部６ｄの前側においては、データ信号回路層３２が本体フレーム６側に配置され、破壊検知回路層３４がカードリーダ１の外部側に配置されている。すなわち、少なくとも非保護領域ＮＰＡにおいては、データ信号回路層３２が本体フレーム６側に配置され、かつ、破壊検知回路層３４がカードリーダ１の外部側に配置されている。すなわち、ＦＰＣ１９は、少なくとも非保護領域ＮＰＡにおいて、データ信号回路層３２が本体フレーム６側に配置され、かつ、破壊検知回路層３４がカードリーダ１の外部側に配置されるように引き回されている。
【００６５】
なお、本形態では、データを不正に取得するために犯罪者によって何らかの不正行為が行われて、保護基板１４の第２の破壊検知回路の断線や短絡が検知されたり、ＦＰＣ１９の破壊検知回路の断線や短絡が検知されたり、上位装置からカードリーダ１が取り外されたことが検知されたり、前面カバー１１が取り外されたことが検知されたりすると、制御基板１３に記憶されているデータを消去したり、制御基板１３を使用不可な状態にしたり、上位装置に異常を通知する等の所定の処理が実行される。
【００６６】
（本形態の主な効果）
以上説明したように、本形態では、ＦＰＣ１９の厚さ方向におけるデータ信号回路層３２の一方側のみに破壊検知回路層３４が形成されている。そのため、本形態では、ＦＰＣ１９の厚さ方向におけるデータ信号回路層３２の両側に破壊検知回路層３４が形成されている場合と比較して、ＦＰＣ１９のコストを低減することが可能になるとともに、ＦＰＣ１９の厚さを薄くすることが可能になる。
【００６７】
また、本形態では、保護領域ＰＡでは、ＦＰＣ１９の一部分が保護基板１４に覆われている。そのため、本形態では、保護領域ＰＡにおいて、犯罪者がデータ不正取得用の信号線をデータ信号回路層３２のデータ信号回路に取り付けようとしたときに、少なくとも保護基板１４の第２の破壊検知回路を断線させたり短絡させたりして、ＦＰＣ１９に対して不正行為が行われていることを検知することが可能になる。
【００６８】
また、本形態では、非保護領域ＮＰＡに配置される基板部１９ｐの前端側部分は保護基板１４に覆われていないが、非保護領域ＮＰＡに配置される基板部１９ｐの前端側部分では、データ信号回路層３２が本体フレーム６側に配置され、かつ、破壊検知回路層３４がカードリーダ１の外部側に配置されている。そのため、本形態では、非保護領域ＮＰＡにおいて、犯罪者がデータ不正取得用の信号線をデータ信号回路層３２のデータ信号回路に取り付けようとしたときに、破壊検知回路層３４の破壊検知回路を断線させたり短絡させたりして、ＦＰＣ１９に対して不正行為が行われていることを検知することが可能になる。
【００６９】
すなわち、本形態では、保護領域ＰＡおよび非保護領域ＮＰＡのいずれの領域においても、犯罪者がデータ不正取得用の信号線をデータ信号回路層３２のデータ信号回路に取り付けようとしたときに、ＦＰＣ１９に対して不正行為が行われていることを検知することが可能になる。そのため、本形態では、ＦＰＣ１９に対して不正行為が行われていることが検知されたときに、所定の処理を実行することで、データ信号回路層３２のデータ信号回路からの磁気データの不正取得を防止することが可能になる。このように、本形態では、ＦＰＣ１９のコストを低減すること、および、ＦＰＣ１９の厚さを薄くすることが可能であっても、データ信号回路層３２のデータ信号回路からの磁気データの不正取得を防止することが可能になる。
【００７０】
また、本形態では、ＦＰＣ１９の厚さを薄くすることが可能になるため、ＦＰＣ１９の柔軟性を高めることが可能になる。したがって、本形態では、ＦＰＣ１９の一端が磁気ヘッド７に接続されていても、カード２に対する磁気ヘッド７の追従性を確保することが可能になる。
【００７１】
本形態では、ＦＰＣ１９は、細長い帯状に形成されている。そのため、本形態では、ＦＰＣ１９が複数の屈曲部を有する複雑な形状に形成されている場合と比較して、ＦＰＣ１９を製造する際の、ＦＰＣ１９の取り数を増やすことが可能になる。したがって、本形態では、ＦＰＣ１９のコストをより低減することが可能になる。一方で、本形態では、ＦＰＣ１９が細長い帯状に形成されているため、折曲部１９ｑよりもＦＰＣ１９の他端側に配置される基板部１９ｒ、１９ｔ、１９ｖおよび被接続部１９ａでは、破壊検知回路層３４が本体フレーム６側に配置され、データ信号回路層３２がカードリーダ１の外部側に配置されている。
【００７２】
しかしながら、本形態では、基板部１９ｒ、１９ｔ、１９ｖおよび被接続部１９ａは、鍔部６ｄの後ろ側の保護領域ＰＡに配置されているため、基板部１９ｒ、１９ｔ、１９ｖおよび被接続部１９ａにおいて、破壊検知回路層３４が本体フレーム６側に配置され、データ信号回路層３２がカードリーダ１の外部側に配置されていても、データ信号回路層３２のデータ信号回路からの磁気データの不正取得を防止することが可能になる。すなわち、本形態では、ＦＰＣ１９のコストをより低減しつつ、データ信号回路層３２のデータ信号回路からの磁気データの不正取得を防止することが可能になる。
【００７３】
（他の実施の形態）
上述した形態は、本発明の好適な形態の一例ではあるが、これに限定されるものではなく本発明の要旨を変更しない範囲において種々変形実施が可能である。
【００７４】
上述した形態において、制御基板１３は、カード収容部６ａの下面に固定されていても良い。この場合には、ＦＰＣ１９の接続部１９ｅは、基板部１９ｐのみによって構成されている。また、制御基板１３に接続される被接続部１９ａは、基板部１９ｐの後端に繋がっている。この場合には、非保護領域ＮＰＡおよび保護領域ＰＡのいずれの領域においても、データ信号回路層３２が本体フレーム６側に配置され、かつ、破壊検知回路層３４がカードリーダ１の外部側に配置されている。
【００７５】
上述した形態では、保護領域ＰＡに配置される基板部１９ｐの後端側部分では、データ信号回路層３２が本体フレーム６側に配置され、破壊検知回路層３４がカードリーダ１の外部側に配置されているが、非保護領域ＮＰＡのみにおいて、データ信号回路層３２が本体フレーム６側に配置され、破壊検知回路層３４がカードリーダ１の外部側に配置されていても良い。すなわち、保護領域ＰＡに配置されるＦＰＣ１９の全体において、破壊検知回路層３４が本体フレーム６側に配置され、データ信号回路層３２がカードリーダ１の外部側に配置されていても良い。
【００７６】
上述した形態では、後面部１４ａと上面部１４ｂと下面部１４ｃと右側面部１４ｄと左側面部１４ｅとが一体になっているが、後面部１４ａ、上面部１４ｂ、下面部１４ｃ、右側面部１４ｄおよび左側面部１４ｅの少なくとも１つが別体で形成されていても良い。この場合には、後面部１４ａ、上面部１４ｂ、下面部１４ｃ、右側面部１４ｄおよび左側面部１４ｅの少なくとも１つが平板状のリジッド基板であっても良い。また、後面部１４ａ、上面部１４ｂ、下面部１４ｃ、右側面部１４ｄおよび左側面部１４ｅの全てが別体で形成される場合には、後面部１４ａ、上面部１４ｂ、下面部１４ｃ、右側面部１４ｄおよび左側面部１４ｅの全てが平板状のリジッド基板であっても良い。また、上述した形態において、保護基板１４は、後面部１４ａを備えていなくても良いし、左側面部１４ｅを備えていなくても良い。
【００７７】
上述した形態では、ＦＰＣ１９に形成される破壊検知回路を用いて、破壊検知回路の断線および短絡が検知されているが、破壊検知回路を用いて、破壊検知回路の断線または短絡の一方のみが検知されても良い。同様に、上述した形態では、保護基板１４に形成される第２の破壊検知回路を用いて、第２の破壊検知回路の断線および短絡が検知されているが、保護基板１４に形成される第２の破壊検知回路を用いて、第２の破壊検知回路の断線または短絡の一方のみが検知されても良い。
【００７８】
上述した形態において、カードリーダ本体３は、ＩＣ接点ブロックを備えていなくても良い。また、上述した形態において、カードリーダ１は、カード２を自動で搬送するカード搬送機構を有するカード搬送式のカードリーダであっても良い。また、上述した形態において、ＩＣ接点ブロックと制御基板１３とを繋ぐフレキシブルプリント基板がＦＰＣ１９と同様に構成されていても良い。すなわち、ＩＣ接点ブロックと制御基板１３とを繋ぐフレキシブルプリント基板は、データ信号回路層３２と破壊検知回路層３４とを備えていても良い。
【００７９】
また、ＩＣ接点ブロックと制御基板１３とを繋ぐフレキシブルプリント基板がＦＰＣ１９と同様に構成されている場合であって、かつ、このフレキシブルプリント基板の一部分が非保護領域ＮＰＡに配置されている場合には、このフレキシブルプリント基板は、薄いフィルム状に形成されるフレキシブルプリント基板と本体フレーム６の表面と平行になるように本体フレーム６の表面に沿って引き回されるとともに、少なくとも非保護領域ＮＰＡにおいて、データ信号回路層３２が本体フレーム６側に配置され、かつ、破壊検知回路層３４がカードリーダ１の外部側に配置されるように引き回されている。この場合には、カードリーダ本体３は、磁気ヘッド７を備えていなくても良い。
【符号の説明】
【００８０】
１  カードリーダ
２  カード
５  カード移動路
６  本体フレーム
６ａ  カード収容部
６ｂ  ヘッド配置部
６ｄ  鍔部
７  磁気ヘッド
１３  制御基板
１４  保護基板
１４ａ  後面部（第１保護基板）
１４ｂ  上面部（第３保護基板）
１４ｃ  下面部（第２保護基板）
１４ｄ  右側面部（第４保護基板）
１４ｅ  左側面部（第５保護基板）
１９  ＦＰＣ（フレキシブルプリント基板）
１９ａ  被接続部（第４基板部の一部）
１９ｐ  基板部（第１基板部）
１９ｑ  折曲部（第１折曲部）
１９ｒ  基板部（第２基板部）
１９ｓ  折曲部（第２折曲部）
１９ｔ  基板部（第３基板部）
１９ｕ  折曲部（第３折曲部）
１９ｖ  基板部（第４基板部の一部）
３２  データ信号回路層
３４  破壊検知回路層
ＮＰＡ  非保護領域
ＰＡ  保護領域
Ｘ  前後方向
Ｘ１  後ろ方向
Ｘ２  前方向
Ｙ  カードの幅方向
Ｙ１  第３方向
Ｙ２  第４方向
Ｚ  カードの厚さ方向
Ｚ１  第２方向
Ｚ２  第１方向
【図１】
2018169833.tif 000003
【図２】
2018169833.tif 000004
【図３】
2018169833.tif 000005
【図４】
2018169833.tif 000006
【図５】
2018169833.tif 000007
【図６】
2018169833.tif 000008
【図７】
2018169833.tif 000009